(57)【特許請求の範囲】
【請求項１】
端部にバルクヘッドを有する沈埋函と、その外周にスライド可能な端部にバルクヘッドを有する二重管最終継手とを函体製作時に一体に製作しておき、その沈埋函を既設沈埋函のバルクヘッドの対向位置に沈設の後、既設沈埋函から二重管最終継手を既設沈埋函へ引き寄せ、ガスケットを介して外水を遮断した状態で二重管最終継手のバルクヘッドと既設沈埋函のバルクヘッドとの間の水を排水して水圧接合を行い、次に沈埋函内から二重管戻り防止キー内にモルタルを注入し、養生の後、沈埋函のバルクヘッドと二重管最終継手のバルクヘッドとの間を排水し、二次止水を行った後に全てのバルクヘッドを撤去する沈埋函の最終継手施工方法。
【請求項２】
二重管戻り防止キーを剪断キーとした請求項１記載の沈埋函の最終継手施工方法。
【請求項３】
二重管戻り防止キーを圧縮キーとした請求項１記載の沈埋函の最終継手施工方法。
【発明の詳細な説明】
【０００１】
【発明の属する技術分野】
本発明は、海底などを掘って予め陸上で製作しておいた沈埋函を現場に曳航し次々に沈設し、連結して沈埋トンネルとする際の最終函を二重管構造とした沈埋函の最終継手施工方法に関する。
【０００２】
【従来の技術】
従来、上記のごとく多数の沈埋函を連結して沈設し、沈埋トンネルとする際の最終継手工法には、止水パネル工法、ターミナルブロック工法、Ｖブロック工法、水中コンクリート式工法などがあり、それぞれ一長一短があった。
例えば、水中コンクリート式工法の場合では、型枠の組立が潜水士による水中作業となり、水深が深い場合には施工性及び安全性に劣ると共に、水中コンクリートを施工時の止水材として使用するため、コンクリートの品質管理が重要課題となる。
【０００３】
一方、その作業能率や安全性における難点の実情に鑑みて提案された沈埋函の最終継手施工方法に関する特開昭５７−２４７９８の発明がなされているが、この場合は、接合端に止水バルブ室を望遠鏡筒式に水密に伸縮自在に接続した最終函を、同函に接合すべき既設函の対向位置に沈設したものであり、この発明では止水バルブ式のような２枚のバルクヘッドで囲まれた大気圧を有する空間を必要とするので、バルクヘッドの枚数が４枚必要となり、また止水パネルと最終函体との間は予め水密になるような構造であり、それだけ構造が複雑で、かつバルクヘッドのコストも嵩むことになる。
【０００４】
また、上記従来例の最終継手施工方法では、止水バルブ室を既設函側に引き寄せて既設函の接続端面に止水バルブ室の接続端面のパッキングを圧着して既設函及び止水バルブ室間のバルクヘッドチャンバを閉合し、チャンバ内の水を排出して既設函及び止水バルブ室を水圧接合することを特徴としているので、注水の作業工程を必要としている。
【０００５】
【発明が解決しようとする課題】
本発明は、複数の沈埋函を次々と沈設し、連結して沈埋トンネルとする際の最終函の最終継手を任意の位置に設けることができ、しかもその構造が簡単で、作業工程が容易で経済的な沈埋函の最終継手施工方法を提供することをその解決課題としている。
【０００６】
【課題を解決するための手段】
本発明は、端部にバルクヘッドを有する沈埋函とその外周にスライド可能な端部にバルクヘッドを有する二重管最終継手とを函体製作時に一体に陸上のヤードなどで予め製作しておき、その沈埋函を既設沈埋函のバルクヘッドの対向位置に沈設の後、既設沈埋函から引寄せジャッキにより二重管最終継手を既設沈埋函へ引き寄せ、ゴム製などのガスケットを介して外水とを遮断した状態で二重管最終継手のバルクヘッドと既設沈埋函のバルクヘッドとの間の水を排水して水圧接合を行い、次に沈埋函内から二重管戻り防止キー内にモルタル注入、養生の後、沈埋函のバルクヘッドと二重管最終継手のバルクヘッドとの間を排水し、二次止水を行った後に全てのバルクヘッドを撤去する沈埋函の最終継手施工方法からなり、またさらに、本発明は上記の沈埋函の最終継手施工方法において、二重管戻り防止キーとして剪断キー、又は圧縮キーを用いることもその特徴とする。
【０００７】
【発明の実施の形態】
以下図面を参照して本発明の沈埋函の最終継手施工方法を適用した二重管最終継手の施工工程の一実施形態について説明する。
まず、この発明の方法において、最終函として沈設される図１の（Ａ）で示す沈埋函１には、その製作ヤードなどで製作される際に、その沈埋函１の外周にその長手方向にスライド可能な二重管最終継手２を函体製作時に一体に製作しておくものである。
【０００８】
次に、上記二重管最終継手２を外周に一体にした沈埋函１を図１のごとく、図中（Ｂ）で示す既設の沈埋函３の対向位置に沈設した後、図２のごとく既設の沈埋函３から引寄せジャッキ４により二重管最終継手２を既設の沈埋函３の方へ矢印Ｐのごとく引き寄せる。
なお、図１において、沈埋函１及び３と二重管最終継手２にはそれぞれバルクヘッド５１，５２，５３が設けられており、以下の図面で水は斜線で示している。
【０００９】
次に、図３のごとく、既設の沈埋函３の外周端に設けられたゴムなどのガスケット６を介して既設の沈埋函３のバルクヘッド５２と二重管最終継手２のバルクヘッド５３との間を外水と遮断し、その間の水Ｗを排水装置７で既設の沈埋函３側に排水することにより二重管最終継手２側のバルクヘッド５３に水圧が作用し、沈埋函３と二重管最終継手３とが水圧接合される。
【００１０】
さらに、図４に示すごとく、沈埋函１内から二重管戻り防止キー８として剪断キーを用い、その両端部に設けられたモルタルストッパー９内に空気Ａを送入の上、二重管戻り防止キー８内にモルタルＭを注入し養生をする。
本実施形態では、二重管戻り防止キー８内に注入されたモルタルＭの剪断力によって、二重管最終継手２が戻ることを防止する剪断キーを使用しているが、図１０に示すように、二重管最終継手２が戻ろうとする力を、モルタルストッパー９内に注入されたモルタルＭを介して沈埋函１に伝え、モルタルＭの圧縮力により二重管最終継手２が戻ることを防止する圧縮キー８１とすることもできる。
【００１１】
上記モルタルＭの養生の後、図５に示すように沈埋函１のバルクヘッド５１と二重管最終継手２にバルクヘッド５３との間の水Ｗを排水装置７で沈埋管１側に排水した後、図６に示すごとく、沈埋管１の外周端と二重管最終継手２の内周面との間に二次止水をして止水材の溶接と止水用モルタル１０の注入を行い、二重管最終継手２と沈埋管３との水圧接合されているガスケット６の内周面に二次止水ゴムなどの止水材１１を設置し、図７に示すごとくバルクヘッド５１，５２，５３を全て撤去して、最終継手だけでなく通常の継手で行われているように連結ケーブル１２をカプラー１３を介して設置すると共に、鉄筋１４を配置した後、図８に示すごとく、上記鉄筋１４の部分に後打ちコンクリート１５を施工する。
【００１２】
以上図１から図８に示す各工程の施工フローを図９のフローチャートに示しており、この発明の方法によれば、従来例として前記せる特開昭５７−２４７９８の発明に比べ、止水バルブ室のような２枚のバルクヘッドで囲まれた大気圧を有する空間を必要とせず、本発明の方が最終継手部のバルクヘッドの枚数が従来例より１枚少なくてよい。
【００１３】
また、前記従来例で、止水パネルと最終函体との間は予め水密になるような構造となっているのに対し、本発明では水密にする必要がない。
さらに、本発明の方法では、二重函構造部と沈埋管１との間に注水するという作業工程は全て必要がなく、上記以外の各点でも本発明は従来例と比較してはるかに進んだ機構が取り入れられている。
【００１４】
なお、二重管最終継手２のみを鉄筋コンクリート構造ではなく鋼殻構造にしておき、接合が完了してから鋼殻内に水中コンクリートを打設すれば、二重管最終継手２を引き寄せジャッキで引き寄せる時の重量が小さいので、二重管最終継手が下方へ垂れ下ることを防止でき、施工精度が向上する。
【００１５】
【発明の効果】
以上説明した本発明の沈埋函の最終継手施工方法によれば、使用される二重管最終継手の構造が簡単で、作業工程が容易であり、作業の経済性を向上することができる。
特に、本発明では沈埋トンネルの最終継手部分を沈埋函のどの位置にも設定可能である。
【００１６】
さらに、二重管最終継手の水圧の接合は、通常の沈埋函同志の手順と変らず、また、二重管最終継手のゴム製などのガスケットの当り面寸法を変えることにより、３次元で発生する沈設誤差を吸収可能である。
【図面の簡単な説明】
【図１】本発明の施工方法による工程の一実施形態の施工概念を説明する二重管最終継手を一体とした沈埋函の沈設状態を示す概略要部側断面図である。
【図２】図１に続く二重管最終継手部引寄せを示す要部側断面図である。
【図３】図２に続く二重管最終継手部のバルクヘッドと既設の沈埋函のバルクヘッドとの間を水を排水することによる水圧接合を示す要部側断面図である。
【図４】図３に続く二重管戻り防止剪断キー内へのモルタル注入を示す要部側断面図である。
【図５】図４に続く二重管最終継手のバルクヘッドと沈埋函のバルクヘッドとの間の排水を示す要部側断面図である。
【図６】図５に続く止水材溶接、止水材内モルタル注入及び二次止水ゴム設置を示す要部側断面図である。
【図７】図６に続く後打コンクリート部鉄筋組立及び連接ケーブル設置を示す要部側断面図である。
【図８】図７に続く後打コンクリート打設を示す要部側断面図である。
【図９】図１から図８までの各工程の施工フローチャートである。
【図１０】二重管戻り防止キーとして圧縮キーを用いた要部側断面図である。
【符号の説明】
１      沈埋函                ２      二重管最終継手
３      沈埋函                ４      引寄せジャッキ
６      ガスケット            ８      二重管戻り防止剪断キー
１１      止水材              １２      連結ケーブル
１４      鉄筋                １５      後打ちコンクリート
Ｍ      モルタル            ５１      バルクヘッド
５２      バルクヘッド        ５３      バルクヘッド
８１      圧縮キー
【図１】
0003715025.tif 000002
【図２】
0003715025.tif 000003
【図３】
0003715025.tif 000004
【図４】
0003715025.tif 000005
【図５】
0003715025.tif 000006
【図６】
0003715025.tif 000007
【図７】
0003715025.tif 000008
【図８】
0003715025.tif 000009
【図９】
0003715025.tif 000010
【図１０】
0003715025.tif 000011